(57)【要約】【課題】細長い紐状の装飾体の両端を連結させたまま容易に他の装飾物等を掛けたり外したりできる装飾具を提供する。【解決手段】紐状の装飾体２の両端にリング３及び５が設けられており、リング３には、開閉可能な切り欠き構造を持つ環状留め具４が結合され、リング５には、開閉可能な切り欠き構造を持つ環状留め具６が結合される。そして、装飾体２のループを形成するために環状留め具６とリング３とが連結され、環状留め具４にはユーザの好みの装飾物が取り付けられる。ユーザが装飾物の取り付け・取り外しを行う場合には、環状留め具６とリング３とを連結させた状態のままで、環状留め具４の切り欠き構造を開閉させて装飾物の取り外し・取り付けを行うことができる。【選択図】図１
2011167361.tif 000002
【特許請求の範囲】
【請求項１】
細長い紐状の装飾体と、
前記装飾体の一方の端に設けられた第１のリングと、
前記装飾体の他方の端に設けられた第２のリングと、
開閉可能な切り欠き構造を有し、前記第１のリングに結合される第１の環状留め具と、
開閉可能な切り欠き構造を有し、前記第２のリングに結合され、前記第１のリングと着脱可能に連結される第２の環状留め具と、
を具備する装飾具。
【請求項２】
前記第１の環状留め具は、
切り欠きが形成された第１の環状部と、
前記第１の環状部の前記切り欠きを閉鎖又は開放する第１の開閉部と、
を有し、
前記第２の環状留め具は、
前記第１のリングの通過可能な切り欠きが形成された第２の環状部と、
前記第２の環状部の前記切り欠きを閉鎖又は開放する第２の開閉部と、
を有する、
請求項１に記載の装飾具。
【発明の詳細な説明】
【技術分野】
【０００１】
本発明は、カバンの手提げベルト等にかけて使用する細長い紐状の装飾具に関するものである。
【背景技術】
【０００２】
従来から、カバンの手提げベルト等にかけて使用される紐状のアクセサリが知られている（例えば下記の特許文献１を参照）。この種のアクセサリには、紐の部分が宝石等で装飾されているものや、紐の先にペンダント等の装飾物がぶら提げられているものがある。
【先行技術文献】
【特許文献】
【０００３】
【特許文献１】実用新案登録第３１１０４４８号明細書
【発明の概要】
【発明が解決しようとする課題】
【０００４】
一般にこうしたアクセサリには、紐の一方の端部に引き輪やカニカン等の留め金具が設けられ、他方の端部に留め金具を引っ掛けるためのマルカンが設けられている。一方の端の留め金具を他方の端のマルカンに引っ掛けて連結させることにより、紐がループ状になって手提げベルト等から外れなくなる。
【０００５】
ところで、こうした紐の装飾だけでは物足りない場合や、装飾にバリエーションや個性を持たせたい場合などにおいて、上述したアクセサリにユーザが好みの装飾物を取り付けて使用することがある。このような場合、従来は、装飾物のマルカンと紐のマルカンを１つの留め金具に掛けて使用していることが多い。
【０００６】
しかしながら、上記のような使用方法では、装飾物を他のものに変更するために留め金具から装飾物を外そうとすると、紐のマルカンまで外れてしまうことがある。また、別の装飾物のマルカンを掛けるために、紐のマルカンも掛け直さなくてはならないことがある。従って、装飾物の取り付けや取り外しが面倒だという問題がある。
【０００７】
本発明はかかる事情に鑑みてなされたものであり、その目的は、細長い紐状の装飾体の両端を連結させたまま容易に装飾物等を掛けたり外したりできる装飾具を提供することにある。
【課題を解決するための手段】
【０００８】
本発明に係る装飾具は、細長い紐状の装飾体と、前記装飾体の一方の端に設けられた第１のリングと、前記装飾体の他方の端に設けられた第２のリングと、開閉可能な切り欠き構造を有し、前記第１のリングに結合される第１の環状留め具と、開閉可能な切り欠き構造を有し、前記第２のリングに結合され、前記第１のリングと着脱可能に連結される第２の環状留め具とを具備する。
【０００９】
好適に、前記第１の環状留め具は、切り欠きが形成された第１の環状部と、前記第１の環状部の前記切り欠きを閉鎖又は開放する第１の開閉部とを有し、前記第２の環状留め具は、前記第１のリングの通過可能な切り欠きが形成された第２の環状部と、前記第２の環状部の前記切り欠きを閉鎖又は開放する第２の開閉部とを有する。
【発明の効果】
【００１０】
本発明によれば細長い紐状の装飾体の両端を連結させたまま容易に装飾物等を掛けたり外したりできる。
【図面の簡単な説明】
【００１１】
【図１】本発明の実施形態に係る装飾具の例を示す図である。
【図２】図１に示す装飾具をカバンの手提げベルトにかけて使用する例を示す図である。
【発明を実施するための形態】
【００１２】
以下、本発明の一実施形態に係る装飾具について、図面を参照して説明する。
図１は、本実施形態に係る装飾具の外観の一例を示す図である。
図１に示す装飾具は、細長い紐状の装飾体２を有する。装飾体２は、ダイヤモンド等の宝石が固着された複数の装飾玉２１を数珠状につなげて構成される。装飾体２の一方の端には環状金具２２がつながれており、環状金具２２の孔にはこれより大径のリング３（第１のリング）が挿通される。また、装飾体２の他方の端にも環状金具２３がつながれており、環状金具２３の孔にはこれより大径のリング５（第２のリング）が挿通される。図１の例において、リング３はリング５より大径である。
【００１３】
リング３には、環状留め具４（第１の環状留め具）が結合される。環状留め具４は、リング状の物体（マルカン等）と着脱可能に連結するように構成されており、主としてユーザが自らの好みの装飾物を掛けるため使用される。環状留め具４は、例えば図１に示すように、カニカンやナスカン等の留め具と同様な開閉構造を有する。すなわち、環状留め具４は、切り欠きが形成された環状部４１（第１の環状部）と、この切り欠きを閉鎖又は開放する開閉部４３（第１の開閉部）を有する。
【００１４】
開閉部４３は、環状部４１に設けられた図示しない支持軸において回転可能に支持される。開閉部４３の回転角は、一定の範囲内に規制される。
開閉部４３は、環状部４１の外縁から飛び出したツマミ部と、支持軸から切り欠き側に延びる端片部を有する。ツマミ部を摘まんで開閉部４３を一方の方向に回転させると、端片部が切り欠きに密着して環状部４１が閉鎖状態となる。また、開閉部４３を逆の方向へ回転させると、端片部が切り欠きから離れて環状部４１が開放状態となる。
開閉部４３と環状部４１との結合部分には図示しない弾性部材（ねじりコイルばね等）が設けられており、この弾性部材によって開閉部４３は閉鎖状態となる方向へ回転付勢される。
【００１５】
また、環状留め具４の縁の部分には、リング３が挿通される挿通孔４４が形成される。この挿通孔４４の開口方向は、環状部４１の中央孔４２の開口方向と略垂直になっている。そのため、挿通孔４４においてリング３を回転させることにより、図１に示すように、環状部４１の中央孔４２の開口方向とリング３の中央孔３１の開口方向とが略平行になるように、環状留め具４とリング３との相対位置を調節することができる。
【００１６】
環状留め具４の挿通孔４４と環状部４１との中間部には、環状部４１の中央孔４２の開口方向と略垂直な面が形成されており、この面にダイヤモンド等の宝飾物４５が固着される。
【００１７】
他方、リング５には、環状留め具６（第２の環状留め具）が結合される。環状留め具６は、主としてリング３との連結に用いられる。環状留め具６は、上述した環状留め具４と同様な開閉構造を有しており、リング３と着脱可能に連結される。例えば環状留め具６は、切り欠きが形成された環状部６１（第２の環状部）と、この切り欠きを閉鎖又は開放する開閉部６３（第２の開閉部）を有する。環状部６１は上述した環状部４１に対応し、開閉部６３は上述した開閉部４３に対応する。環状留め具６の縁の部分には、リング５が挿通される挿通孔６４が形成される。
【００１８】
図２は、上述した装飾具の使用例を説明するための図であり、装飾具をハンドバッグ１００の手提げベルト１０１に掛けて使用した状態を示す。図２の例において、環状留め具４にはぬいぐるみ７が取り付けられており、環状留め具６はリング３と連結されている。
【００１９】
以上説明したように、本実施形態に係る装飾具においては、紐状の装飾体２の両端にリング３及び５が設けられており、リング３には、開閉可能な切り欠き構造を持つ環状留め具４が結合され、リング５には、開閉可能な切り欠き構造を持つ環状留め具６が結合される。そして、装飾体２のループを形成するために環状留め具６とリング３とが連結され、環状留め具４にはユーザの好みの装飾物が取り付けられる。
このような構造により、ユーザが装飾物の取り付け・取り外しを行う場合には、環状留め具６とリング３とを連結させた状態のままで、環状留め具４の切り欠き構造を開閉させて装飾物の取り外し・取り付けを行うことができる。例えば図２の場合、環状留め具６とリング３とを連結させたままの状態で、環状留め具４だけを開閉させることにより、ぬいぐるみ７の取り付け・取り外しを行うことができる。
従って、従来のように装飾体の両端の連結が外れてしまう問題が生じなくなり、装飾物の取り付け・取り外しを非常に容易に行うことができる。
【００２０】
以上、本発明の一実施形態を説明したが、本発明は上記の形態にのみ限定されるものではなく、種々のバリエーションを含んでいる。
【００２１】
上述の実施形態では環状留め具６とリング３とを連結して装飾体２のループを形成する例を挙げたが、本発明はこれに限定されない。例えば、環状留め具４とリング５とを連結させてもよい。
【００２２】
本発明における環状留め具は上述の実施形態に限定されておらず、例えば引き環型の留め具など、種々の環状留め具を適用可能である。
【００２３】
紐状の装飾体は上述の実施形態に限定されず、例えば貴金属製の鎖（チェーン）など、種々の装飾体を適用可能である。
【００２４】
紐状の装飾体の端部に設けるリングの数は１つに限定されず、１つの端部に２以上のリングを設けてもよい。
【符号の説明】
【００２５】
２…装飾体、３，５…リング、４，６…環状留め具、４１，６１…環状部、４３，６３…、…開閉部、４４，６４…挿通孔、４５…宝飾物
【図１】
2011167361.tif 000003
【図２】
2011167361.tif 000004